(57)【要約】【課題】貯槽と、貯槽内に配設された回転テーブルを備え、回転テーブルの外周縁に配設された複数個の計量室によって貯槽内の収容物を排出口に排出供給するテーブルフィーダにおいて、廃プラスチック破砕物のような難流動性物質を、流れを円滑にし、連続的に、かつ定量的に供給できるテーブルフィーダを提供する。【解決手段】貯槽（４）の計量室（１０）の上方に内周壁（１６）から貯槽（４）の内方上方に向けて延びる環状の傾斜面（２０）を備え、回転テーブル（８）の上面にこの傾斜面（２０）に向けて放射状に配設された複数個の羽根板（３０）を備える。【選択図】      図１
2005053650.tif 000002
【特許請求の範囲】
【請求項１】
貯槽と、この貯槽内に回転駆動を自在に配設された回転テーブルとを備え、
該回転テーブルが、貯槽内の収容物を受入れるための上開口及び受入れた収容物を排出するための下開口を有する計量室を周方向に間隔を置いて複数個備え、
該計量室の各々が、該回転テーブルを所定方向に回転することにより該貯槽の内周壁に沿って導入域及び排出域を通して移動され、該導入域においては上開口が開放されるとともに下開口が閉塞され、該排出域においては上開口が閉塞されるとともに下開口が該貯槽に形成された排出口に開放される、テーブルフィーダであって、
該貯槽が、該計量室の上方に、該内周壁から貯槽の内方上方に向けて延びる環状の傾斜面を備え、
該回転テーブルが、その上面に該傾斜面に向けて放射状に配設された複数個の羽根板を備えている、ことを特徴とするテーブルフィーダ。
【請求項２】
該貯槽が、内周壁から内方に突出し該計量室の上開口を該排出域、及び排出域の前後において閉塞する閉塞板を備え、
該閉塞板の、該所定回転方向において上開口を順次に閉塞する端が、該上開口の内壁側を先に閉塞し漸次内方側を閉塞するよう形成されている、請求項１記載のテーブルフィーダ。
【請求項３】
該傾斜面の内周壁側の端が、該閉塞板の上面と実質上同一面に位置付けられている、請求項２記載のテーブルフィーダ。
【請求項４】
該計量室が、該上開口から下開口に向けてその開口断面を徐々に拡大させて形成されている、請求項１から３までのいずれかに記載のテーブルフィーダ。
【請求項５】
該貯槽が、該排出域における該計量室に加圧空気を噴射する噴射ノズルを備えている、請求項４記載のテーブルフィーダ。
【発明の詳細な説明】
【技術分野】
【０００１】
本発明は、貯槽に収容した粉粒体あるいは破砕片などを回転テーブルを利用して連続的にかつ定量的に排出供給する装置であるテーブルフィーダ、さらに詳しくは、流動性の悪い物質を供給するのに好適なテーブルフィーダに関する。
【背景技術】
【０００２】
粉粒体などを、回転テーブルを利用して連続的にかつ定量的に供給する装置としてテーブルフィーダがある。典型的なテーブルフィーダは、粉粒体などを収容する貯槽と、貯槽の底部に配設された回転テーブルとを備えている（例えば、特許文献１参照）。この回転テーブルは、外周部の周方向に複数個の仕切られた空間である計量室を備え、計量室は、貯槽内の収容物を受入れるための上開口及び受け入れた収容物を排出するための下開口を有している。
【０００３】
そして、回転テーブルを所定方向に回転させ、各計量室を導入域及び排出域を通して移動させることにより、導入域においては上開口が開口されるとともに下開口が閉塞され、排出域においては上開口が閉塞されるとともに下開口が排出口に開放され、計量室に流入し導入された収容物は、排出域において排出口に放出される。
【０００４】
したがって、回転テーブルの回転数及び計量室の容積を規定することにより、貯槽に収容された粉粒体などは連続的にかつ定量的に排出口から供給先に供給される。
【０００５】
【特許文献１】特公平４−５３７７８号公報（第１図、第２図）
【発明の開示】
【発明が解決しようとする課題】
【０００６】
このテーブルフィーダは、廃プラスチック破砕物のような産業廃棄物をリサイクル装置などに定量的に供給する装置として用いられている。この種の産業廃棄物としては、その他に、ウレタンなどから生成されたクッションのような綿状体、ビニールハウスのビニールシートのようなシート状物質の細断片、テープ状物質の切断片、さらには木材チップなど、多種多様である。しかしながら、テーブルフィーダによってこの廃プラスチック破砕物のような物質を扱う場合には、次の通りの解決すべき課題がある。
【０００７】
（１）連続的・定量的な供給が難しい：
廃プラスチック破砕物のような物質は、その性状からして、流動性が乏しい難流動性物質である。したがって回転テーブルの計量室に流入しにくい。流動・流入を補助するように貯槽内に攪拌手段を設けると、逆に攪拌手段によって収容物が部分的に圧縮・固着されたり、部分的に空洞が形成されてしまう弊害が発生する。この固着が進行すると攪拌手段が動かなくなったり、破損してしまうこともある。したがって、テーブルフィーダによる廃プラスチック破砕物のような難流動性物質の連続的かつ定量的な供給が難しい。
【０００８】
（２）排出域において特に固着が発生しやすい：
排出域においては、計量室の上開口を閉じ・すり切ることにより計量室に導入された収容物の定量が確保されるが、この上開口に蓋をするようにすり切る部分において、廃プラスチック破砕物のような難流動性物質は、特に圧縮・固着されやすい。
【０００９】
本発明は上記事実に鑑みてなされたもので、その技術的課題は、廃プラスチック破砕物のような難流動性物質を、流れを円滑にし、連続的に、かつ定量的に供給することができるテーブルフィーダを提供することである。
【課題を解決するための手段】
【００１０】
本発明者等は、鋭意検討及び実験を重ねた結果、テーブルフィーダの貯槽及び回転テーブルの改良により、難流動性物質も、流れを円滑にして連続的にかつ定量的に供給できることを確認した。
【００１１】
すなわち、本発明によれば、貯槽と、この貯槽内に回転駆動を自在に配設された回転テーブルとを備え、該回転テーブルが、貯槽内の収容物を受入れるための上開口及び受入れた収容物を排出するための下開口を有する計量室を周方向に間隔を置いて複数個備え、該計量室の各々が、該回転テーブルを所定方向に回転することにより該貯槽の内周壁に沿って導入域及び排出域を通して移動され、該導入域においては上開口が開放されるとともに下開口が閉塞され、該排出域においては上開口が閉塞されるとともに下開口が該貯槽に形成された排出口に開放される、テーブルフィーダであって、
該貯槽は、該計量室の上方に、該内周壁から貯槽の内方上方に向けて延びる環状の傾斜面を備え、該回転テーブルは、その上面に該傾斜面に向けて放射状に配設された複数個の羽根板を備えている、ことを特徴とするテーブルフィーダが提供される。
【００１２】
好適には、該貯槽は、内周壁から内方に突出し該計量室の上開口を該排出域、及び排出域の前後において閉塞する閉塞板を備え、該閉塞板の、該所定回転方向において上開口を順次に閉塞する端は、該上開口の内壁側を先に閉塞し漸次内方側を閉塞するよう形成され、該傾斜面の内周壁側の端は、該閉塞板の上面と実質上同一面に位置付けられる。
【００１３】
さらには、該計量室は、該上開口から下開口に向けてその開口断面を徐々に拡大させて形成され、該貯槽は、該排出域における該計量室に加圧空気を噴射する噴射ノズルを備えている。
【発明の効果】
【００１４】
本発明に従って構成されたテーブルフィーダによれば、計量室の上方に貯槽の内周壁から貯槽の内方上方に向けて延びる環状の傾斜面が備えられ、かつ回転テーブルの上面にこの傾斜面に向けて延びる放射状の羽根板が備えられているので、貯槽内の収容物は、回転テーブルとともに回転するこの羽根板によって傾斜面に向けて押し出され、傾斜面によって下方の計量室に向けて押し込まれる。したがって、収容物の計量室への流れを良くし、計量室に容易に充填できるので、廃プラスチック破砕物のような難流動性物質を連続的かつ定量的に供給することができる。
【００１５】
さらに、計量室の上開口を閉じ・すり切るときには、内周壁側から徐々に閉塞するようにしたので、この閉塞する部分での収容物の固着が防止される。また、傾斜面の内周壁側端を、閉塞板の上面と実質上同一面に位置付けることにより、計量室の上方に収容物の固着する空間が形成されないようにする。
【００１６】
そして、計量室を、上開口から下開口に向けてその開口断面を徐々に拡大させ末広がりにすることにより、また貯槽に、排出域における計量室に加圧空気を噴射する噴射ノズルを備えることにより、収容物を排出口により容易に放出することができ、テーブルフィーダにおける収容物の流れをより良くすることができる。
【発明を実施するための最良の形態】
【００１７】
以下、本発明に従って構成されたテーブルフィーダについて、好適実施形態を図示している添付図面を参照して、さらに詳細に説明する。
【００１８】
図１及び図２を参照して先ず概要について説明する。全体を番号２で示すテーブルフィーダは、円筒容器状の貯槽４と、この貯槽４内の底壁６上に回転駆動を自在に配設された回転テーブル８とを備えている。回転テーブル８は、貯槽４内の収容物を受入れるための上開口１０ａ及び受入れた収容物を底壁６に形成された排出口１２に放出するための下開口１０ｂを有する計量室１０を周方向に間隔を置いて複数個（図示の形態においては１２個）備えている。そして、回転テーブル８を矢印１４で示す所定方向（図２の平面視において反時計方向）に回転すると、計量室１０の各々は貯槽４の内周壁１６に沿って導入域Ｒ及び排出域Ｄを通して移動される。
【００１９】
この貯槽４には、内周壁１６から内方に突出し計量室１０の上開口１０ａを排出域Ｄ、及び排出域Ｄの前後において閉塞する閉塞板であるすり切り板１８が備えられている。したがって、計量室１０は、導入域Ｒにおいては上開口１０ａが開放されるとともに下開口１０ｂが底壁６によって閉塞され、排出域Ｄにおいては上開口１０ａがすり切り板１８によって閉塞されるとともに下開口１０ｂは底壁６の排出口１２に開放される。
【００２０】
図１及び図２とともに図３を参照して説明する。貯槽４は、上述の底壁６を形成する底板部４ａと、底壁６から上方に延びて回転テーブル８の回転空間を形成する上述の内周壁１６を有する円筒状の底部円筒部４ｂと、計量室１０の上方において内周壁１６から貯槽４の内方上方に向けて角度θ１（図３、本実施の形態においては３０°）で延びる環状の傾斜面２０を有した円錐筒部４ｃと、円錐筒部４ｃの上端から上方に延びた円筒状の主容器部４ｄと、主容器部４ｄの上端を閉じる天板部４ｅとを備えている。天板部４ｅには、収容物を投入するための一対の投入口４ｆ、４ｆが形成されている。
【００２１】
上述の円錐筒部４ｃの傾斜面２０の内周壁１６側の端はすり切り板１８の上面と実質上同一面に位置付けらえている。すり切り板１８については、計量室１０との関係において後に詳述する。
【００２２】
この貯槽４の底部円筒部４ｂには、排出域Ｄに位置した計量室１０に加圧空気を噴射するための、外部の加圧空気源２２につながった噴射ノズル２４が備えられている。噴射ノズル２４は、加圧空気をすり切り板１８の下側に位置する計量室１０の上開口１０ａ側から下開口１０ｂそして排出口１２に向けて噴射するように取付けられている。
【００２３】
回転テーブル８は、円盤状の本体部８ａと、本体部８ａの周縁の周方向に所定の間隔で放射状に立設された複数個（１２個）の仕切板８ｂとを備えている。そして、隣り合った一対の仕切板８ｂ、８ｂは、貯槽４の内周壁１６と協働して、上開口１０ａ及び下開口１０ｂを有する計量室１０を規定している。
【００２４】
本体部８ａの中心部には中空のボス８ｂが備えられ、このボス８ｂに回転テーブル８を回転駆動させる、貯槽設置台２６に備えられた電動モータ（図示していない）につながる駆動軸２８が連結されている。
【００２５】
計量室１０は、上開口１０ａから下開口１０ｂに向けてその開口断面を徐々に拡大して形成されている。すなわち、図３に示すように本体部８ａの外周は下方に向けて角度θ２（本実施の形態においては１０°）で回転テーブル８の内方側に傾斜された斜面に形成され、仕切板８ｂは図４に示ようにく板厚の両側が下方に向けて板厚が薄くなる方向に角度θ３（本実施の形態においては３°）で傾斜されている。
【００２６】
回転テーブル８はまた、その上面に傾斜面１６に向けて水平方向に放射状に配設された複数個（本実施の形態においては３個）の羽根板３０を備えている。この羽根板３０は、図５に示すように断面Ｌ型のアングル材により形成され、アングルの縦辺３０ａを回転テーブル８の回転方向１４の後方側にして、回転テーブル８の上面に設けられた円形台３２に取付けられている。
【００２７】
前述のすり切り板１８は、排出口１２の上方で計量室１０の上開口１０ａを略２個分閉じる大きさに円弧状に形成されている。そして、所定回転方向１４において上開口１０ａを順次に閉塞する端（図２において上方側の端）は、上開口１０ａの、内周壁１６側を先に閉塞し漸次内方側を閉塞するよう、平面視（図２）において傾斜線によって規定されている。すり切り板１８の他端は回転テーブル８の仕切板８ｂの延びる方向に延びた直線によって規定されている。
【００２８】
上述のごとく構成されたテーブルフィーダ２の作用について説明する。
【００２９】
（１）収容物の連続・定量供給：
貯槽４内に投入口４ｆから充填された収容物は、回転テーブル８を所定方向１４に回転させると、導入域Ｒにおいて下開口１０ｂの閉塞された計量室１０に上開口１０ａから収容物が流入導入され、この計量室１０がすり切り板１８の部分に達すると上開口１０ａも閉塞される。次いで排出域Ｄになると、下開口１０ｂが排出口１２に開放され、計量室１０に導入された収容物は排出口１２に放出される。収容物の排出された空の計量室１０は再び導入域Ｒに移動し上開口１０ａが開放され収容物が流入導入される。したがって、回転テーブル８の回転数及び計量室１０の容積を規定することにより、貯槽４に収容された粉粒体などの収容物は、連続的にかつ定量的に排出口１２から放出され供給先に供給される。
【００３０】
（２）難流動性物質の供給：
このテーブルフィーダ２は、計量室１０の上方に内周壁１６から貯槽４の内方上方に向けて延びる環状の傾斜面２０を備え、かつ回転テーブル８の上面にこの傾斜面２０に向けて水平方向に延びる放射状の羽根板３０を備えている。そして、特に流動性のよくない収容物は、回転テーブル８とともに回転するこの羽根板３０によって傾斜面２０に向けて押し出され、傾斜面２０によって下方の計量室１０に向けて押し込まれる。したがって、廃プラスチック破砕物のような難流動性物質も連続的かつ定量的に供給することができる。
【００３１】
さらに、回転方向１４において計量室１０の上開口１０ａを順次に閉じるすり切り板１８の端を、上開口１０ａを内周壁１６側から徐々に閉塞する形状にしたので、この部分での収容物の固着が防止される。また、傾斜面２０の内周壁１６側の端を、すり切り板１８の上面と実質上同一面に位置付け、計量室１０の上方の空間を小さくしたので、この部分での収容物の固着が防止される。そして、計量室１０を、上開口１０ａから下開口１０ｂに向けてその開口断面を徐々に拡大させ末広がりにし、排出域Ｄにおいて計量室１０に加圧空気を噴射するようにしたので、廃プラスチック破砕物のような難流動性物質を円滑に排出口１２に放出することができる。
【００３２】
以上、本発明を実施の形態に基づいて詳細に説明したが、図６に示すように、環状の傾斜面２０を有した円錐筒部４ｃから上方に延びる円筒状の主容器部４ｄを、途中から円筒径を大きくし大径主容器部４ｇにし収容物の収容空間を大きくし、この部分に回転テーブル８に立設した支持柱３４により攪拌羽根３６を設けるようにしてもよい。
【図面の簡単な説明】
【００３３】
【図１】本発明に従って構成されたテーブルフィーダを側方から見た断面図。
【図２】図１のＡ−Ａ矢印方向に見たテーブルフィーダの平面視断面図。
【図３】図１の要部の拡大図。
【図４】図２のＢ−Ｂ矢印方向に見て示した回転テーブルの仕切板の拡大断面図。
【図５】図３のＣ−Ｃ矢印方向に見て示した回転テーブルに取付けられた羽根板の拡大断面図。
【図６】テーブルフィーダの他の実施形態を示した断面図。
【符号の説明】
【００３４】
２：テーブルフィーダ
４：貯槽
８：回転テーブル
１０：計量室
１０ａ：上開口
１０ｂ：下開口
１２：排出口
１６：内周壁
１８：すり切り板（閉塞板）
２０：傾斜面
２４：噴射ノズル
３０：羽根板
Ｒ：導入域
Ｄ：排出域
【図１】
2005053650.tif 000003
【図２】
2005053650.tif 000004
【図３】
2005053650.tif 000005
【図４】
2005053650.tif 000006
【図５】
2005053650.tif 000007
【図６】
2005053650.tif 000008